(57)【要約】【課題】可動ギミック内にサブ液晶パネルを設けている遊技機において、画像信号とモータ制御信号との間でクロストークが発生した場合であっても、信号を伝送する配線数を削減し、信号の伝送品質を確保し、かつ、画像信号を処理する回路を構成するデバイスを過電圧による故障から保護することができる表示制御回路を提供する。【解決手段】表示制御回路は、トランシーバと、駆動回路と、モータ動作判断回路と、を備える。前記トランシーバは、遊技機の表示装置に供給する画像信号に付加信号を重畳させて出力する。前記駆動回路は、前記表示装置を機械的に駆動するモータを制御する。前記モータ動作判断回路は、当該駆動回路が出力するモータ制御信号に基づいて、前記トランシーバが前記画像信号に重畳する前記付加信号を制御する。【選択図】図６
2017063940.tif 000002
【特許請求の範囲】
【請求項１】
遊技機の表示装置に供給する画像信号に付加信号を重畳させて出力するトランシーバと、
前記表示装置を機械的に駆動するモータを制御する駆動回路と、
当該駆動回路が出力するモータ制御信号に基づいて、前記トランシーバが前記画像信号に重畳する前記付加信号を制御するモータ動作判断回路と、
を備える表示制御回路。
【請求項２】
前記モータ動作判断回路は、
前記駆動回路が前記表示装置を機械的に駆動させるモータの制御を行っている場合、前記画像信号に前記付加信号を重畳させない制御を行う、
請求項１に記載の表示制御回路。
【請求項３】
前記モータ動作判断回路は、
前記画像信号の立ち上がり時または立ち下がり時に重畳する前記付加信号の振幅を大きくする制御を行う、
請求項１または請求項２に記載の表示制御回路。
【請求項４】
前記モータ動作判断回路は、
前記画像信号の振幅が大きくなるにつれて重畳する前記付加信号の振幅を大きくする制御を行う、
請求項１から請求項３の何れか一項に記載の表示制御回路。
【請求項５】
請求項１から請求項４の何れか一項に記載の表示制御回路と、
前記表示制御回路による制御に基づいて、画像を表示する遊技機の表示装置と、
を備える画像表示装置。
【請求項６】
遊技機の表示装置に供給する画像信号に付加信号を重畳させて出力し、
前記表示装置を機械的に駆動するモータを制御し、
モータ制御信号に基づいて、前記画像信号に重畳する前記付加信号を制御する、表示制御方法。
【請求項７】
コンピュータを、
遊技機の表示装置に供給する画像信号に付加信号を重畳させて出力する出力手段、
前記表示装置を機械的に駆動するモータを制御する駆動手段、
当該駆動手段が出力するモータ制御信号に基づいて、前記出力手段が前記画像信号に重畳する前記付加信号を制御するモータ動作判断手段、
として機能させるプログラム。
【発明の詳細な説明】
【技術分野】
【０００１】
本発明は、表示制御回路、画像表示装置、表示制御方法及びプログラムに関する。
【背景技術】
【０００２】
ぱちんこや回胴式遊技機などの遊技機では、抽選時にユーザに大当たりの期待感を持たせるなどの演出が行われている。そのような演出は、年々複雑になっており、液晶画面に画像を表示させる外、可動ギミックの動き、ＬＥＤ（Ｌｉｇｈｔ  Ｅｍｉｔｔｉｎｇ  Ｄｉｏｄｅ）の発光などにより行われる。
そのため、遊技機では、さまざまな信号が並走しており、各信号を正確に伝播させることが重要である。
特許文献１には、関連する技術として、ダンピング抵抗を信号線に挿入し、信号波形の反射を抑制することで、信号を正確に伝播させる技術が記載されている。
【先行技術文献】
【特許文献】
【０００３】
【特許文献１】特開２０１４−１８７６００号公報
【発明の概要】
【発明が解決しようとする課題】
【０００４】
ところで、可動式の仕掛け装置（以下、「可動ギミック」と記載）を備える遊技機の中には、可動ギミック内にサブ液晶パネルを設けているものがある。サブ液晶パネルを制御する信号は約４０あり、可動ギミック内にサブ液晶パネルを設けている遊技機では、それらの信号を伝送する配線数を削減する必要がある。そこで、サブ液晶パネルを制御する信号をシリアル化して転送し、受信側で信号を復調してパラレル化する技術が有効である。
ただし、画像信号をシリアル化して転送する場合、単位時間当たりの情報量を確保するには画像信号を高周波信号にして正確に転送する必要がある。そこで、信号を正確に伝播させる方法として、特許文献１に記載のダンピング抵抗を用いる方法が考えられるが、特許文献１に記載の方法では信号の立ち上がり、立ち下がりが遅くなる（なまる）ため、高周波信号では綺麗なアイパターンを確保することができない。
そこで、高周波信号を正確に伝播させる方法として、画像信号に高周波成分の信号を追加するプリエンファシスと呼ばれる技術を用いる方法が考えられる。プリエンファシス技術は、信号線を伝播し減衰した後の信号（この場合、画像信号）の振幅が十分な大きさとなるように、信号線を伝播する際に減衰する信号に当該信号の高周波成分を予め追加して転送する技術である。このプリエンファシス技術を用いると、信号において綺麗なアイパターンを確保することができる。ただし、信号に追加された高周波成分は、オーバーシュートやアンダーシュートを増加させる傾向にある。
そのため、サブ液晶パネルに表示させる画像信号と、可動ギミックを動かすモータを駆動するモータ制御信号とが並走する遊技機において、プリエンファシス技術を用いる場合、画像信号とモータ制御信号との間でクロストークが発生し、画像信号にモータ制御信号が重畳することで、画像信号のオーバーシュートやアンダーシュートが画像信号を処理する回路の絶対最大定格を超え、画像信号を処理する回路を構成するデバイスが故障する可能性がある。
そのため、可動ギミック内にサブ液晶パネルを設けている遊技機において、画像信号とモータ制御信号との間でクロストークが発生した場合であっても、信号を伝送する配線数を削減し、信号の伝送品質を確保し、かつ、画像信号を処理する回路を構成するデバイスを過電圧による故障から保護することのできる技術が求められていた。
【０００５】
そこでこの発明は、上記の課題を解決することのできる表示制御回路、画像表示装置、表示制御方法及びプログラムを提供することを目的としている。
【課題を解決するための手段】
【０００６】
上記目的を達成するために、本発明は、遊技機の表示装置に供給する画像信号に付加信号を重畳させて出力するトランシーバと、前記表示装置を機械的に駆動するモータを制御する駆動回路と、当該駆動回路が出力するモータ制御信号に基づいて、前記トランシーバが前記画像信号に重畳する前記付加信号を制御するモータ動作判断回路と、を備える表示制御回路である。
【０００７】
また、本発明は、上述の表示制御回路と、前記表示制御回路による制御に基づいて、画像を表示する遊技機の表示装置と、を備える画像表示装置である。
【０００８】
また、本発明は、遊技機の表示装置に供給する画像信号に付加信号を重畳させて出力し、前記表示装置を機械的に駆動するモータを制御し、モータ制御信号に基づいて、前記画像信号に重畳する前記付加信号を制御する、表示制御方法である。
【０００９】
また、本発明は、コンピュータを、遊技機の表示装置に供給する画像信号に付加信号を重畳させて出力する出力手段、前記表示装置を機械的に駆動するモータを制御する駆動手段、当該駆動手段が出力するモータ制御信号に基づいて、前記出力手段が前記画像信号に重畳する前記付加信号を制御するモータ動作判断手段、として機能させるプログラムである。
【発明の効果】
【００１０】
本発明の表示制御回路により、可動ギミック内にサブ液晶パネルを設けている遊技機において、画像信号とモータ制御信号との間でクロストークが発生した場合であっても、信号を伝送する配線数を削減し、信号の伝送品質を確保し、かつ、画像信号を処理する回路を構成するデバイスを過電圧による故障から保護することができる。
【図面の簡単な説明】
【００１１】
【図１】本発明の一実施形態による画像表示装置の構成を示す図である。
【図２】本実施形態による表示制御回路におけるプリエンファシスの制御を説明するための第１の図である。
【図３】本実施形態による表示制御回路におけるプリエンファシスの制御を説明するための第２の図である。
【図４】本実施形態による表示制御回路におけるプリエンファシスの制御を説明するための第３の図である。
【図５】本実施形態による表示制御回路における画像信号を示す図である。
【図６】本発明の表示制御回路の最小構成を示す図である。
【発明を実施するための形態】
【００１２】
＜実施形態＞
以下、図面を参照しながら実施形態について説明する。
本発明の一実施形態による画像表示装置１は、図１に示すように、表示制御回路１０と、可動ギミック２０と、モータ３０と、を備える。本発明の実施形態による画像表示装置１は、遊技機に備えられる。
【００１３】
表示制御回路１０は、トランシーバ１０１と、駆動回路１０２と、モータ動作判断回路１０３と、ＣＰＵ（Ｃｅｎｔｒａｌ  Ｐｒｏｃｅｓｓｉｎｇ  Ｕｎｉｔ）１０４と、ＶＤＰ（Ｖｉｄｅｏ  Ｄｉｓｐｌａｙ  Ｐｒｏｃｅｓｓｏｒ）１０５と、を備える。
【００１４】
ＣＰＵ１０４は、駆動回路１０２、モータ動作判断回路１０３、ＶＤＰ１０５のそれぞれに、遊技機の大当たり確率の異なる各モードや各モードにおける大当たりなどの抽選中の演出に応じた指令信号を送信する。例えば、ＣＰＵ１０４は、大当たりの期待感を持たせる画像をサブ液晶パネル２０２（表示装置）に表示させることを指示する画像指令信号ｓｉｇ１をＶＤＰ１０５に送信する。また、ＣＰＵ１０４は、大当たりの期待感を持たせる動きを可動ギミック２０にさせることを指示するモータ指令信号ｓｉｇ２を駆動回路１０２とモータ動作判断回路１０３とに送信する。
【００１５】
ＶＤＰ１０５は、サブ液晶パネル２０２に表示させる画像の画像信号ｓｉｇ３を生成する。具体的には、ＶＤＰ１０５は、ＣＰＵ１０４から画像指令信号ｓｉｇ１を受信する。ＶＤＰ１０５は、受信した画像指令信号ｓｉｇ１が示す大当たりの期待感を持たせる演出内容に基づいて、サブ液晶パネル２０２に表示させる画像の画像信号ｓｉｇ３を生成する。
ＶＤＰ１０５は、生成した画像信号ｓｉｇ３をトランシーバ１０１に出力する。
【００１６】
駆動回路１０２は、可動ギミック２０に設けられたサブ液晶パネル２０２を機械的に駆動するモータ３０を制御する。具体的には、駆動回路１０２は、ＣＰＵ１０４からモータ指令信号ｓｉｇ２を受信する。駆動回路１０２は、受信したモータ指令信号ｓｉｇ２が示す大当たりの期待感を持たせる演出内容に基づいて、モータ３０を駆動するモータ制御信号ｓｉｇ４を生成する。駆動回路１０２は、生成したモータ制御信号ｓｉｇ３をモータ３０に送信する。
【００１７】
モータ動作判断回路１０３は、駆動回路１０２の出力するモータ制御信号ｓｉｇ４、したがって、大当たりの期待感を持たせる演出内容に応じて駆動回路１０２にモータ制御信号ｓｉｇ４を生成させることを指示するモータ指令信号ｓｉｇ２に基づいて、トランシーバ１０１が画像信号ｓｉｇ３に重畳する付加信号ｓｉｇ５を制御する。
具体的には、モータ動作判断回路１０３は、ＣＰＵ１０４からモータ指令信号ｓｉｇ２を受信する。モータ動作判断回路１０３は、受信したモータ指令信号ｓｉｇ２に含まれる駆動回路１０２がモータ制御信号ｓｉｇ４をモータ３０に送信する送信タイミングを特定する。そして、モータ動作判断回路１０３は、駆動回路１０２がモータ制御信号ｓｉｇ４をモータ３０に送信し可動ギミック２０に設けられたサブ液晶パネル２０２を機械的に駆動させる制御を行っている場合には、画像信号ｓｉｇ３に付加信号ｓｉｇ５を重畳させないことを指示する指令信号ｓｉｇ６をトランシーバ１０１に送信する。また、モータ動作判断回路１０３は、駆動回路１０２がモータ制御信号ｓｉｇ４をモータ３０に送信していない場合には、画像信号ｓｉｇ３の立ち上がり時または立ち下がり時に重畳する付加信号ｓｉｇ５の振幅を大きくする指令信号ｓｉｇ６をトランシーバ１０１に送信する。また、モータ動作判断回路１０３は、駆動回路１０２がモータ制御信号ｓｉｇ４をモータ３０に送信していない場合には、画像信号ｓｉｇ３の振幅が大きくなるにつれて重畳する付加信号ｓｉｇ５の振幅を大きくする指令信号ｓｉｇ６をトランシーバ１０１に送信する。
【００１８】
より具体的には、例えば、モータ動作判断回路１０３は、モータ指令信号ｓｉｇ２に基づいて、図２に示すように、モータ制御信号ｓｉｇ４がイネーブルのときにはプリエンファシスを０パーセントにする、すなわち、画像信号ｓｉｇ３に付加信号ｓｉｇ５を重畳させないことを指示する指令信号ｓｉｇ６をトランシーバ１０１に送信する。また、モータ動作判断回路１０３は、図２に示すように、モータ制御信号ｓｉｇ４がディセーブルのときにはプリエンファシスを１００パーセントにする、すなわち、プリエンファシスの１００パーセントに応じた振幅の付加信号ｓｉｇ５を画像信号ｓｉｇ３に重畳させることを指示する指令信号ｓｉｇ６をトランシーバ１０１に送信する。
【００１９】
また、例えば、モータ動作判断回路１０３は、モータ３０のモータ制御信号を特定するために、図３に示すように、モータ３０の回転の絶対位置を特定するロータリエンコーダのＡ相の信号と、Ａ相の信号に対して９０度の位相差を持たせたＢ相の信号を特定する。モータ動作判断回路１０３は、特定したＡ相の信号とＢ相の信号を２ビットの信号とみなし、（Ａ相の信号の値，Ｂ相の信号の値）＝（１，１）のときにはプリエンファシスを１００パーセントにする、例えば振幅を０パーセントのときの２倍にする付加信号ｓｉｇ５を画像信号ｓｉｇ３に重畳させることを指示する指令信号ｓｉｇ６をトランシーバ１０１に送信する。また、モータ動作判断回路１０３は、（Ａ相の信号の値，Ｂ相の信号の値）＝（１，０）または（０，１）のときにはプリエンファシスを５０パーセントにする、例えば振幅を０パーセントのときの１．５倍にする付加信号ｓｉｇ５を画像信号ｓｉｇ３に重畳させることを指示する指令信号ｓｉｇ６をトランシーバ１０１に送信する。また、モータ動作判断回路１０３は、（Ａ相の信号の値，Ｂ相の信号の値）＝（０，０）のときにはプリエンファシスを０パーセントにする、例えば画像信号ｓｉｇ３に付加信号ｓｉｇ５を重畳させないことを指示する指令信号ｓｉｇ６をトランシーバ１０１に送信する。
【００２０】
また、例えば、モータ動作判断回路１０３は、例えば、図４に示すような２ビットの信号に基づいて、プリエンファシスをより細かく制御してもよい。具体的には、モータ動作判断回路１０３は、（ビット１，ビット０）＝（１，１）のときにはプリエンファシスを１００パーセントにする、例えば振幅を０パーセントのときの２倍にする付加信号ｓｉｇ５を画像信号ｓｉｇ３に重畳させることを指示する指令信号ｓｉｇ６をトランシーバ１０１に送信する。また、モータ動作判断回路１０３は、（ビット１，ビット０）＝（１，０）のときにはプリエンファシスを５０パーセントにする、例えば振幅を０パーセントのときの１．５倍にする付加信号ｓｉｇ５を画像信号ｓｉｇ３に重畳させることを指示する指示信号ｓｉｇ６をトランシーバ１０１に送信する。また、モータ動作判断回路１０３は、（ビット１，ビット０）＝（０，１）のときにはプリエンファシスを２５パーセントにする、例えば振幅を０パーセントのときの１．２５倍にする付加信号ｓｉｇ５を画像信号ｓｉｇ３に重畳させることを指示する指示信号ｓｉｇ６をトランシーバ１０１に送信する。また、モータ動作判断回路１０３は、（ビット１，ビット０）＝（０，０）のときにはプリエンファシスを０パーセントにする、例えば画像信号ｓｉｇ３に付加信号ｓｉｇ５を重畳させないことを指示する指令信号ｓｉｇ６をトランシーバ１０１に送信する。
【００２１】
トランシーバ１０１は、レシーバ２０１を介して画像信号ｓｉｇ７を遊技機のサブ液晶パネル２０２に供給する。具体的には、トランシーバ１０１は、モータ動作判断回路１０３から受信した指令信号ｓｉｇ６に応じて、画像信号ｓｉｇ３の立ち上がり時または立ち下がり時に振幅の大きい付加信号ｓｉｇ５を画像信号ｓｉｇ３に重畳させた画像信号ｓｉｇ７をレシーバ２０１に出力する。または、トランシーバ１０１は、モータ動作判断回路１０３から受信した指令信号ｓｉｇ６に応じて、画像信号ｓｉｇ３の振幅が大きくなるにつれて振幅が大きくなる付加信号ｓｉｇ５を画像信号ｓｉｇ３に重畳させた画像信号ｓｉｇ７をレシーバ２０１に出力する。または、トランシーバ１０１は、モータ動作判断回路１０３から受信した指令信号ｓｉｇ６に応じて、画像信号ｓｉｇ３に付加信号ｓｉｇ５を重畳していない画像信号ｓｉｇ７をレシーバ２０１に出力する。
【００２２】
なお、トランシーバ１０１がレシーバ２０１に送信する画像信号ｓｉｇ７は、例えば、図５（ａ）〜（ｄ）に示すシリアル化された画像信号である。なお、図５（ａ）〜（ｄ）に示す画像信号ｓｉｇ７は、差動信号として示されている。
画像信号ｓｉｇ７は、モータ制御信号ｓｉｇ４がモータ３０を駆動しておらず、プリエンファシスが０パーセントである場合には、図５（ａ）に示すように、バイアス電圧が安定し振幅が小さい画像信号となる。また、画像信号ｓｉｇ７は、モータ制御信号ｓｉｇ４がモータ３０を駆動しておらず、プリエンファシスが１００パーセントである場合には、図５（ｂ）に示すように、バイアス電圧が安定し振幅が大きい画像信号となる。また、画像信号ｓｉｇ７は、モータ制御信号ｓｉｇ４がモータ３０を駆動し、プリエンファシスが０パーセントである場合には、図５（ｃ）に示すように、クロストークによりモータ制御信号ｓｉｇ４が重畳され、バイアス電圧が不安定な画像信号となる。このときの画像信号ｓｉｇ７の最大振幅は、モータ制御信号ｓｉｇ４がモータ３０を駆動しているときの最大振幅に比べて大きくなる。また、画像信号ｓｉｇ７は、モータ制御信号ｓｉｇ４がモータ３０を駆動し、プリエンファシスが１００パーセントである場合には、図５（ｄ）に示すように、クロストークによりモータ制御信号ｓｉｇ４が重畳され、バイアス点が不安定な画像信号となる。このときの画像信号ｓｉｇ７の最大振幅は、モータ制御信号ｓｉｇ４がモータ３０を駆動しているときの最大振幅に比べて大きくなる。
上述のように、モータ制御信号ｓｉｇ４がモータ３０を駆動している場合には、モータ制御信号ｓｉｇ４と画像信号ｓｉｇ７との間でクロストークが発生する可能性があり、画像信号ｓｉｇ７の最大振幅が大きくなる可能性がある。そのため、モータ制御信号ｓｉｇ４がモータ３０を駆動している場合には、トランシーバ１０１がプリエンファシスを強調し過ぎると、図５（ｄ）における丸印で示すように、画像信号ｓｉｇ７の最大振幅が画像信号を処理する回路の絶対最大定格を超えてしまい、画像信号を処理する回路を構成するデバイスが故障する可能性がある。そのため、本実施形態によるモータ動作判断回路１０３は、ＣＰＵ１０４から受信したモータ指令信号ｓｉｇ２が、モータ制御信号ｓｉｇ４がモータ３０を駆動していることを示す場合には、画像信号ｓｉｇ３に付加信号ｓｉｇ５を重畳させないことを指示する指令信号ｓｉｇ６をトランシーバ１０１に送信する。
また、モータ制御信号ｓｉｇ４がモータ３０を駆動していない場合には、モータ制御信号ｓｉｇ４と画像信号ｓｉｇ７との間でクロストークが発生しない。そのため、モータ制御信号ｓｉｇ４がモータ３０を駆動していない場合には、トランシーバ１０１は、プリエンファシスを強調し、画像信号ｓｉｇ７の振幅を可能な限り大きくすることにより、綺麗なアイパターンを確保する。そのため、本実施形態によるモータ動作判断回路１０３は、ＣＰＵ１０４から受信したモータ指令信号ｓｉｇ２が、モータ制御信号ｓｉｇ４がモータ３０を駆動していないことを示す場合、画像信号ｓｉｇ３に付加信号ｓｉｇ５を重畳させることを指示する指令信号ｓｉｇ６をトランシーバ１０１に送信する。
【００２３】
可動ギミック２０は、レシーバ２０１と、サブ液晶パネル２０２と、を備える。
レシーバ２０１は、トランシーバ１０１から画像信号ｓｉｇ７を受信する。レシーバ２０１は、受信した画像信号ｓｉｇ７をパラレル信号に変換した画像信号ｓｉｇ８を生成する。レシーバ２０１は、生成した画像信号ｓｉｇ８をサブ液晶パネル２０２に出力する。
サブ液晶パネル２０２は、レシーバ２０１から画像信号ｓｉｇ８を入力する。サブ液晶パネル２０２は、入力した画像信号ｓｉｇ８に応じた画像を表示する。
【００２４】
モータ３０は、駆動回路１０２からモータ制御信号ｓｉｇ４を受信する。モータ３０は、受信したモータ制御信号ｓｉｇ４に応じて、可動ギミック２０を機械的に駆動する。
【００２５】
以上、本発明の一実施形態による画像表示装置１が備える表示制御回路１０について説明した。上述の本実施形態による表示制御回路１０において、トランシーバ１０１は、遊技機において可動ギミック２０に設けられたサブ液晶パネル２０２に供給する画像信号に付加信号を重畳させて出力する。駆動回路１０２は、可動ギミック２０に設けられたサブ液晶パネル２０２を機械的に駆動するモータを制御する。モータ動作判断回路１０３は、駆動回路１０２が出力するモータ制御信号に基づいて、トランシーバ１０１が画像信号に重畳する付加信号を制御する。
このようにすれば、表示制御回路１０は、可動ギミック２０に設けられたサブ液晶パネル２０２を設けている遊技機において、画像信号とモータ制御信号との間でクロストークが発生した場合であっても、信号を伝送する配線数を削減し、信号の伝送品質を確保し、かつ、画像信号を処理する回路を構成するデバイスを過電圧による故障から保護することができる。
【００２６】
本発明の最小構成の表示制御回路１０について説明する。
本発明の表示制御回路１０は、図６に示すように、少なくともトランシーバ１０１と、駆動回路１０２と、モータ動作判断回路１０３と、を備える。
トランシーバ１０１は、遊技機の表示装置に供給する画像信号に付加信号を重畳させて出力する。
駆動回路１０２は、表示装置を機械的に駆動するモータを制御する。
モータ動作判断回路１０３は、駆動回路１０２が出力するモータ制御信号に基づいて、トランシーバ１０１が画像信号に重畳する付加信号を制御する。
【００２７】
なお、本発明における記憶部やメモリは、適切な情報の送受信が行われる範囲においてどこに備えられていてもよい。また、記憶部やメモリは、適切な情報の送受信が行われる範囲において複数存在しデータを分散して記憶していてもよい。
【００２８】
なお本発明の実施形態における処理フローは、適切な処理が行われる範囲において、処理の順番が入れ替わってもよい。
【００２９】
なお本発明の実施形態について説明したが、上述の表示制御回路１０は内部に、コンピュータシステムを有している。そして、上述した処理の過程は、プログラムの形式でコンピュータ読み取り可能な記憶部に記憶されており、このプログラムをコンピュータが読み出して実行することによって、上記処理が行われる。ここでコンピュータ読み取り可能な記憶部とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。
【００３０】
また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【００３１】
本発明のいくつかの実施形態を説明したが、これらの実施形態は、例として提示したものであり、発明の範囲を限定するものではない。また、発明の要旨を逸脱しない範囲で、種々の省略、置き換え、変更を行うことができるものである。
【符号の説明】
【００３２】
１０・・・表示制御回路
２０・・・可動ギミック
３０・・・モータ
１０１・・・トランシーバ
１０２・・・駆動回路
１０３・・・モータ動作判断回路
１０４・・・ＣＰＵ
１０５・・・ＶＤＰ
２０１・・・レシーバ
２０２・・・サブ液晶パネル（表示装置）
【図１】
2017063940.tif 000003
【図２】
2017063940.tif 000004
【図３】
2017063940.tif 000005
【図４】
2017063940.tif 000006
【図５】
2017063940.tif 000007
【図６】
2017063940.tif 000008